【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
少なくとも１つの枢動脚部が接続されたフレームと、
前記枢動脚部に取り付けられた２つ以上の枢動糸保持アームと、
前記フレームに取り付けられるとともに、前記枢動糸保持アーム上に装着された動作パッケージから糸を連続して巻戻すように構成された駆動制御アセンブリと、
前記フレームに取り付けられた第１の糸ガイドとを備え、
前記枢動脚部が前記フレームに対して鋭角で枢動可能に載置されているとともに、前記第１の糸ガイドが前記動作パッケージから最小距離だけ離れていることを特徴とする、１つまたは複数の動作パッケージから糸を連続して巻戻す装置。
【請求項２】
ａ．動作パッケージを、少なくとも１つの糸が前記動作パッケージから前記動作パッケージの回転軸と鋭角を画定する方向に巻戻すことができるように、枢動アーム上に保持するステップと、
ｂ．ステップ（ａ）の前記動作パッケージから制御された所定の速度で糸を巻戻すステップと、
ｃ．前記糸を第１の糸ガイドを通過させることによりステップ（ａ）の前記糸の前記方向を制御するステップと、
ｄ．前記動作パッケージの前記回転軸により画定される線上で測定された、前記第１の糸ガイドから前記第１の糸ガイドに面する前記動作パッケージの端までの最小距離（ｄ）が、
ｉ．約２グラムＯＥＴＯを超え且つ約７．５グラムＯＥＴＯ未満の粘着性を有する糸の場合、少なくとも約０．３４メートルに等しい、または
ｉｉ．約７．５を超える粘着性を有する糸の場合、約０．７１メートル〜約０．９１メートルに等しくなるように、前記距離（ｄ）を制御するステップと、
ｅ．前記動作パッケージの前記回転軸およびオリフィス面に垂直な前記第１の糸ガイドの中心軸にそれぞれ対応する仮想線の交点により画定される角度（θ）が、
ｉ．約２グラムＯＥＴＯを超え且つ約７．５グラムＯＥＴＯ未満の粘着性を有する糸の場合、０°〜約３０°に等しい、または
ｉｉ．約７．５グラムＯＥＴＯを超える粘着性レベルを有する糸の場合、０°〜約１０°に等しくなるように、前記角度（θ）を制御するステップとを含むことを特徴とする、糸を連続して巻戻す方法。
【手続補正２】
【補正対象書類名】明細書
【補正対象項目名】００４５
【補正方法】変更
【補正の内容】
【００４５】
上記の説明は本発明を図示するとともに説明している。さらに本開示は本発明の好適な実施形態のみを示すとともに説明しているが、上述したように本発明は様々な他の組合せ、変更例および環境で用いることができるとともに、本明細書に示した発明の概念の範囲内で、上記の教示および／または関連の技術および知識に相応した、変形および変更が可能であることは理解できよう。上記に説明した実施形態は、本発明を実行することについて既知の最良の形態を説明するとともに、当業者が本発明をそのようなまたは他の実施形態で、および本発明の特定の用途または使途により必要とされる様々な変更例と共に利用できるようにすることをさらに意図するものである。したがって説明は本発明を本明細書に開示された形態および用途に限定しようとするものではない。また添付の特許請求の範囲は代替実施形態を含むものと解釈されることを意図するものである。
本発明は、以下の実施の態様を含むものである。
１．少なくとも１つの枢動脚部が接続されたフレームと、前記枢動脚部に取り付けられた２つ以上の枢動糸保持アームと、前記フレームに取り付けられるとともに、前記枢動糸保持アーム上に装着された動作パッケージから糸を連続して巻戻すように構成された駆動制御アセンブリと、前記フレームに取り付けられた第１の糸ガイドとを備え、前記枢動脚部が前記フレームに対して鋭角で枢動可能に載置されているとともに、前記第１の糸ガイドが前記動作パッケージから最小距離だけ離れていることを特徴とする、１つまたは複数の動作パッケージから糸を連続して巻戻す装置。
２．前記最小距離が少なくとも０．３４メートルであることを特徴とする前記１に記載の装置。
３．前記駆動制御アセンブリが、前記駆動制御アセンブリの前面パネルに取り付けられた分離ロールと、前記駆動制御アセンブリの前記前面パネルに取り付けられた第２の糸ガイドと、前記駆動制御アセンブリの前記前面パネルから延びる軸上での回転のために載置された駆動ロールと、前記駆動ロールを駆動する駆動モータと、前記駆動制御アセンブリの前記前面パネルに取り付けられた破断センサと、前記駆動制御アセンブリの前記前面パネルおよび前記フレームのうちの少なくとも一方に取り付けられた第３の糸ガイドとをさらに備えることを特徴とする前記１に記載の装置。
４．前記駆動ロールが、良好な糸対金属接触を確実にする研磨金属表面仕上げを有することを特徴とする前記３に記載の装置。
５．前記駆動ロールと前記分離ロールとが、前記駆動ロール上の糸の多重巻き付けを可能にするように構成されていることを特徴とする前記３に記載の装置。
６．前記駆動制御アセンブリが、前記駆動制御アセンブリに電気的に接続された電気制御ボックスをさらに備えることを特徴とする前記１に記載の装置。
７．前記電気制御ボックスが、継電器と、第１の端子ブロックと、第２の端子ブロックと、電源スイッチと、前記第２の端子ブロックと前記継電器とに接続されたデジタルコンバータと、前記第２の端子ブロックと前記デジタルコンバータとに接続された主エンコーダと、前記第１の端子ブロックと、第２の端子ブロックと、前記電源スイッチとに接続された駆動モータコントローラと、前記継電器と前記第２の端子ブロックとに接続された破断検出器インターフェースと、前記電源スイッチと、デジタルコンバータと、主エンコーダと、駆動モータコントローラと、破断検出器とに接続された電源とをさらに備え、前記駆動モータコントローラおよび前記破断検出器インターフェースが、前記第１の端子ブロックおよび前記第２の端子ブロックにより、それぞれ前記駆動モータおよび前記破断検出器に電気的に接続されていることを特徴とする前記６に記載の装置。
８．前記第１の糸ガイドの各々が、前記枢動脚部のポスト部分上での回転のために載置されたスリーブと、前記スリーブから延びるとともに、少なくとも１つの垂直面と、水平面と、側面とを画定する枢動ガイドブラケットと、前記枢動ガイドブラケットの前記側面に取り付けられたピグテールガイドと、前記枢動ブラケットの前記垂直面に取り付けられた垂直載置糸ガイドと、前記枢動ブラケットの前記水平面に取り付けられた水平載置糸ガイドとをさらに備えることを特徴とする前記１に記載の装置。
９．前記鋭角が約０°〜９０°の範囲であることを特徴とする前記１に記載の装置。
１０．ａ．動作パッケージを、少なくとも１つの糸が前記動作パッケージから前記動作パッケージの回転軸と鋭角を画定する方向に巻戻すことができるように、枢動アーム上に保持するステップと、ｂ．ステップ（ａ）の前記動作パッケージから制御された所定の速度で糸を巻戻すステップと、ｃ．前記糸を第１の糸ガイドを通過させることによりステップ（ａ）の前記糸の前記方向を制御するステップと、ｄ．前記動作パッケージの前記回転軸により画定される線上で測定された、前記第１の糸ガイドから前記第１の糸ガイドに面する前記動作パッケージの端までの最小距離（ｄ）が、ｉ．約２グラムＯＥＴＯを超え且つ約７．５グラムＯＥＴＯ未満の粘着性を有する糸の場合、少なくとも約０．３４メートルに等しい、またはｉｉ．約７．５を超える粘着性を有する糸の場合、約０．７１メートル〜約０．９１メートルに等しくなるように、前記距離（ｄ）を制御するステップと、ｅ．前記動作パッケージの前記回転軸およびオリフィス面に垂直な前記第１の糸ガイドの中心軸にそれぞれ対応する仮想線の交点により画定される角度（θ）が、ｉ．約２グラムＯＥＴＯを超え且つ約７．５グラムＯＥＴＯ未満の粘着性を有する糸の場合、０°〜約３０°に等しい、またはｉｉ．約７．５グラムＯＥＴＯを超える粘着性レベルを有する糸の場合、０°〜約１０°に等しくなるように、前記角度（θ）を制御するステップとを含むことを特徴とする、糸を連続して巻戻す方法。